(57)【要約】デジタルデータを記録する記録媒体に、複数のコンテンツ群を格納するコンテンツ格納領域と、複数のコンテンツ群のうち１つを選択するセレクタ格納領域と、検索情報を格納する検索情報格納領域とを設ける。データ再生装置は、セレクタを切り替えることで、記録媒体の規格を遵守した状態で全コンテンツ群のデータを再生することができる。
2004111855.tif 000002
【特許請求の範囲】
【請求項１】
同一形式に準拠したコンテンツ群を少なくとも１つ格納するコンテンツデータ格納領域と、
前記コンテンツ群の１つを指定するためのセレクタ情報を格納するセレクタ格納領域と、
前記コンテンツ群及び前記セレクタ情報をデータ再生装置が取り出す際に必要となる記録アドレスを含む情報を格納する検索情報格納領域と、を有することを特徴とする記録媒体。
【請求項２】
前記セレクタ格納領域は、
前記コンテンツデータ格納領域に格納されている各コンテンツ群に含まれる各コンテンツデータのリストであるコンテンツデータリストを更に格納することを特徴とする請求項１記載の記録媒体。
【請求項３】
前記コンテンツデータ格納領域に格納された各コンテンツ群は、それぞれが個々のユーザを特定するユーザ識別子に１対１で対応付けされており、
前記セレクタ格納領域は、前記ユーザ識別子をセレクタ情報として格納していることを特徴とする請求項１記載の記録媒体。
【請求項４】
前記コンテンツデータ格納領域に格納された各コンテンツ群は、ＳＤ−ＡＵＤＩＯ規格に準拠した形式で格納されていることを特徴とする請求項１記載の記録媒体。
【請求項５】
同一の形式に準拠したコンテンツ群を少なくとも１つ格納するコンテンツデータ格納領域と、
前記コンテンツ群をデータ再生装置が取り出す際に必要となる記録アドレスを含む情報を格納する検索情報格納領域と、を有することを特徴とする記録媒体。
【請求項６】
前記コンテンツデータ格納領域に格納された各コンテンツ群は、それぞれが個々のユーザを特定するユーザ識別子に１対１で対応付けされていることを特徴とする請求項５記載の記録媒体。
【請求項７】
前記コンテンツデータ格納領域に格納された各コンテンツ群は、ＳＤ−ＡＵＤＩＯ規格に準拠した形式で格納されていることを特徴とする請求項５記載の記録媒体。
【請求項８】
記録媒体を挿入するスロットと、
前記スロットに挿入された前記記録媒体のセレクタ格納領域よりセレクタを取得するセレクタ取得部と、
前記セレクタ取得部より取得されたセレクタを、再生するコンテンツ群に合わせて更新するセレクタ更新部と、
前記記録媒体のコンテンツデータ格納領域から各コンテンツ群に含まれるコンテンツデータを取得するコンテンツデータ取得部と、
前記コンテンツデータ取得部によって取得されたコンテンツデータを再生するコンテンツデータ再生部と、を備え、
前記記録媒体は、
同一形式に準拠したコンテンツ群を少なくとも１つ格納するコンテンツデータ格納領域と、前記コンテンツ群の１つを指定するセレクタ情報を格納するセレクタ格納領域と、前記コンテンツ群及び前記セレクタ情報をデータ再生装置が取り出す際に必要となる記録アドレスを含む情報を格納している検索情報格納領域と、を有することを特徴とするデータ再生装置。
【請求項９】
記録媒体を挿入するスロットと、
前記スロットに挿入された前記記録媒体のコンテンツデータ格納領域に格納された各コンテンツ群のうち１つを選択するコンテンツ群選択部と、
前記記録媒体のコンテンツデータ格納領域から各コンテンツ群に含まれるコンテンツデータを取得するコンテンツデータ取得部と、
前記コンテンツデータ取得部によって取得されたコンテンツデータを再生するコンテンツデータ再生部と、を備え、
前記記録媒体は、
同一形式に準拠したコンテンツ群を少なくとも１つ格納するコンテンツデータ格納領域と、前記コンテンツ群をデータ再生装置が取り出す際に必要となる記録アドレスを含む情報を格納している検索情報格納領域と、を有することを特徴とするデータ再生装置。
【請求項１０】
記録媒体のコンテンツデータ格納領域に格納されたデータを再生するデータ再生方法であって、
前記記録媒体が、同一形式に準拠したコンテンツ群を少なくとも１つ格納するコンテンツデータ格納領域と、前記コンテンツ群の１つを指定するためのセレクタ情報を格納するセレクタ格納領域と、前記コンテンツ群及び前記セレクタ情報をデータ再生装置が取り出す際に必要となる記録アドレスを含む情報を格納する検索情報格納領域と、を有する場合、
前記コンテンツ群を示す情報をセレクタとして前記セレクタ格納領域に書込み、
前記セレクタで選択されている各コンテンツ群のコンテンツデータを前記コンテンツデータ格納領域から取り出し、再生することを特徴とするデータ再生方法。
【請求項１１】
前記記録媒体の前記コンテンツデータ格納領域に格納された各コンテンツ群が、それぞれがユーザを特定するユーザ識別子に１対１で対応付けされており、前記セレクタ格納領域には前記ユーザ識別子をセレクタ情報として格納されている場合、
ユーザからユーザ識別子が与えられると、前記記録媒体のセレクタ情報を退避させた後に、与えられたユーザ識別子を新たなセレクタ情報として更新し、
与えられたユーザ識別子に対応するコンテンツ群のコンテンツデータのみを再生し、
再生後には退避していた前記セレクタ情報の書き戻しを行うことを特徴とする請求項１０記載のデータ再生方法。
【請求項１２】
記録媒体のコンテンツデータ格納領域に格納されたデータを再生するデータ再生方法であって、
前記記録媒体が、同一形式に準拠したコンテンツ群を少なくとも１つ格納するコンテンツデータ格納領域と、前記コンテンツ群をデータ再生装置が取り出す際に必要となる記録アドレスを含む情報を格納している検索情報格納領域とを有している場合、
前記コンテンツデータ格納領域に含まれる全てのコンテンツ群を順次再生することを特徴とするデータ再生方法。
【請求項１３】
ユーザから前記コンテンツ群に対応したユーザ識別子が与えられるとき、
前記ユーザ識別子と対応するコンテンツ群を選択し、
選択されたコンテンツ群のコンテンツデータのみを再生することを特徴とする請求項１２記載のデータ再生方法。
【請求項１４】
記録媒体を挿入するスロットと、
前記スロットに挿入された前記記録媒体のセレクタ格納領域よりセレクタを取得すると共に、記録するコンテンツ群に合わせて前記セレクタを更新するセレクタ更新部と、
コンテンツデータを入力し、前記記録媒体の規格に合致するファイルを含むコンテンツ群に変換するコンテンツデータ変換部と、
前記記録媒体のコンテンツデータ格納領域に対して当該コンテンツ群のデータを記録するコンテンツデータ記録部と、を備え、
前記記録媒体は、
同一形式に準拠したコンテンツ群を少なくとも１つ格納するコンテンツデータ格納領域と、前記コンテンツ群の１つを指定するセレクタ情報を格納するセレクタ格納領域と、前記コンテンツ群及び前記セレクタ情報をデータ再生装置が取り出す際に必要となる記録アドレスを含む情報を格納している検索情報格納領域と、を有することを特徴とするデータ記録装置。
【請求項１５】
記録媒体を挿入するスロットと、
前記スロットに挿入された前記記録媒体のコンテンツデータ格納領域に格納されたコンテンツ群のうち１つを選択するコンテンツ群選択部と、
コンテンツデータを入力し、前記記録媒体の規格に合致するファイルを含むコンテンツ群に変換するコンテンツデータ変換部と、
前記記録媒体のコンテンツデータ格納領域に対して当該コンテンツ群のデータを記録するコンテンツデータ記録部と、を備え、
前記記録媒体は、
同一形式に準拠したコンテンツ群を少なくとも１つ格納するコンテンツデータ格納領域と、前記コンテンツ群をデータ再生装置が取り出す際に必要となる記録アドレスを含む情報を格納している検索情報格納領域と、を有することを特徴とするデータ記録装置。
【発明の詳細な説明】
【技術分野】  本発明は、デジタルデータを記録する記録媒体と、デジタルデータの記録再生に関わるデータ再生装置、データ記録装置、及びデータ再生方法に関するものである。
【背景技術】  近年、デジタルデータを格納する記録媒体としてＳＤメモリカードやスマートメディア、コンパクトなフラッシュメモリ等の半導体メモリが普及し始めている。これらの記録媒体は、特にＤＳＣ（Ｄｉｇｉｔａｌ  Ｓｔｉｌｌ  Ｃａｍｅｒａ）、携帯電話、携帯オーディオプレーヤ、携帯動画ビューワ、ＰＤＡ（Ｐｅｒｓｏｎａｌ  Ｄｉｇｉｔａｌ  Ａｓｓｉｓｔａｎｔ）などのモバイル機器を中心に幅広く利用されている。
これらの記録媒体は年々大容量化が進んでいる。ＳＤメモリカードの場合、市場に登場した２０００年には最大の容量が６４ＭＢであった。しかし、２００３年には容量が５１２ＭＢのカードが商品化されており、１ＧＢ、２ＧＢのように更に大容量のカードも今後商品化される予定である。
また、既に数百ＧＢの容量を実現しているハードディスクとＳＤメモリカードとをセットにして使用することで、擬似的な超大容量のＳＤメモリカードを構成することができる。このように記録媒体の大容量化が進んでいくと、１つの記録媒体に格納されるコンテンツデータの数も増大していく。これに伴い、コンテンツデータの取扱いを記した各種の規格は、拡張が必要となる。
例えば、ＳＤメモリカードに関する規格である「ＳＤ  Ｍｅｍｏｒｙ  Ｃａｒｄ  Ｓｐｅｃｉｆｉｃａｔｉｏｎｓ  ／  Ｐａｒｔ４  ＡＵＤＩＯ  ＳＰＥＣＩＦＩＣＡＴＩＯＮＳ  ／  Ｖｅｒ１．０１」（以下、ＳＤ−ＡＵＤＩＯ規格という）に準拠した形式で音楽コンテンツを格納する場合には、格納できる最大トラック数は９９９に限定される。１トラックが１ＭＢの圧縮オーディオファイルである場合には、９９９トラックで９９９ＭＢの容量を占める。このとき、カードの容量が２ＧＢであれば、約半分の領域だけにしか音楽コンテンツを格納できない。また、前記の擬似的な超大容量のＳＤメモリカードを用いる場合、音楽コンテンツを格納できる領域は、全容量に対して遥かに小さいと言える。
大容量のＳＤメモリカード又は擬似的な超大容量のＳＤメモリカードを、主に音楽コンテンツの格納用として使用したいユーザにとっては、上記のような条件は好ましくない。
別種類の記録媒体での従来の規格拡張方法としては、ＭＤ（Ｍｉｎｉ  Ｄｉｓｋ）のＵＴＯＣ情報の空き領域を利用する方法がある。この技術は特開平９−５５０６９号公報に開示されている。これによれば、従来のコンテンツデータ以外のデータを更に格納することができる。
しかしながら、上記の従来技術には次のような問題がある。ＭＤ以外の記録媒体、即ちＵＴＯＣ情報を持たないＳＤメモリカード等の記録媒体に対しては適用できない。例えば現在のＳＤ−ＡＵＤＩＯ規格に対し、１０００曲以上のトラックを管理できるように拡張するためには、この技術を適用できない。さらに、拡張された規格に対応するためには、データ再生装置及びデータ記録装置に追加実装する項目が多くなるという問題もある。
そこで、本発明では上記問題点に鑑み、これまでの記録媒体と上位互換性を保持しつつ、大容量の記録媒体に従来の規格で取り扱える数以上のデジタルデータを格納できる記録媒体を実現することを目的とする。また新しいデータ再生装置では勿論のこと、従来のデータ再生装置でも、デジタルデータを、本発明の記録媒体を用いて再生する方法を実現することを目的とする。また、従来の規格で取り扱える数以上のデジタルデータを、大容量の記録媒体に記録できるデータ記録装置を実現することを更なる目的とする。
【発明の開示】
本発明の第１の記録媒体は、同一形式に準拠したコンテンツ群を少なくとも１つ格納するコンテンツデータ格納領域と、前記コンテンツ群の１つを指定するためのセレクタ情報を格納するセレクタ格納領域と、前記コンテンツ群及び前記セレクタ情報をデータ再生装置が取り出す際に必要となる記録アドレスを含む情報を格納する検索情報格納領域と、を有することを特徴とする。
本発明の第２の記録媒体は、同一の形式に準拠したコンテンツ群を少なくとも１つ格納するコンテンツデータ格納領域と、前記コンテンツ群をデータ再生装置が取り出す際に必要となる記録アドレスを含む情報を格納する検索情報格納領域と、を有することを特徴とする。
本発明の第１のデータ再生装置は、記録媒体を挿入するスロットと、前記スロットに挿入された第１の記録媒体のセレクタ格納領域よりセレクタを取得するセレクタ取得部と、前記セレクタ取得部より取得されたセレクタを、再生するコンテンツ群に合わせて更新するセレクタ更新部と、前記第１の記録媒体のコンテンツデータ格納領域から各コンテンツ群に含まれるコンテンツデータを取得するコンテンツデータ取得部と、前記コンテンツデータ取得部によって取得されたコンテンツデータを再生するコンテンツデータ再生部と、を備えることを特徴とする。
本発明の第２のデータ再生装置は、記録媒体を挿入するスロットと、前記スロットに挿入された第２の記録媒体のコンテンツデータ格納領域に格納された各コンテンツ群のうち１つを選択するコンテンツ群選択部と、前記第２の記録媒体のコンテンツデータ格納領域から各コンテンツ群に含まれるコンテンツデータを取得するコンテンツデータ取得部と、前記コンテンツデータ取得部によって取得されたコンテンツデータを再生するコンテンツデータ再生部と、を備えることを特徴とする。
本発明の第１のデータ再生方法は、第１の記録媒体における前記コンテンツ群を示す情報をセレクタとして前記セレクタ格納領域に書込み、前記セレクタで選択されている各コンテンツ群のコンテンツデータを前記コンテンツデータ格納領域から取り出し、再生することを特徴とする。
本発明の第２のデータ再生方法は、第２の記録媒体における前記コンテンツデータ格納領域に含まれる全てのコンテンツ群を再生することを特徴とする。
本発明の第１のデータ記録装置は、記録媒体を挿入するスロットと、前記スロットに挿入された第１の記録媒体のセレクタ格納領域よりセレクタを取得すると共に、記録するコンテンツ群に合わせて前記セレクタを更新するセレクタ更新部と、コンテンツデータを入力し、前記第１の記録媒体の規格に合致するファイルを含むコンテンツ群に変換するコンテンツデータ変換部と、前記第１の記録媒体のコンテンツデータ格納領域に対して当該コンテンツ群のデータを記録するコンテンツデータ記録部と、を備えることを特徴とする。
本発明の第２のデータ記録装置は、記録媒体を挿入するスロットと、前記スロットに挿入された第２の記録媒体のコンテンツデータ格納領域に格納されたコンテンツ群のうち１つを選択するコンテンツ群選択部と、コンテンツデータを入力し、前記第２の記録媒体の規格に合致するファイルを含むコンテンツ群に変換するコンテンツデータ変換部と、前記第２の記録媒体のコンテンツデータ格納領域に対して当該コンテンツ群のデータを記録するコンテンツデータ記録部と、を備えることを特徴とする。
【図面の簡単な説明】  第１図は本発明の実施例１における記録媒体のデータ構造例を示す図である。
第２図は従来の記録媒体のＳＤ−ＡＵＤＩＯ規格に関するデータ構造例を示す図である。
第３図は本発明の実施例１における記録媒体のＳＤ−ＡＵＤＩＯ規格に関するデータ構造例を示す説明図である。
第４図は本発明の実施例１におけるセレクタ格納領域の具体例を示す説明図である。
第５図は本発明の実施例１におけるデータ再生装置の構成図である。
第６図は従来のデータ再生装置の構成図である。
第７図は本発明の実施例１におけるコンテンツデータ再生方法のシーケンス図である。
第８図は本発明の実施例１におけるディレクトリ更新時の遷移状態の説明図である。
第９図は本発明の実施例１におけるデータ記録装置の要部構成図である。
第１０図は本発明の実施例１において、コンテンツデータリストにリンクリストの情報を記録した例の説明図である。
第１１図は本発明の実施例１におけるユーザ識別子を用いたコンテンツデータ再生方法のシーケンス図である。
第１２図は本発明の実施例２における記録媒体のデータ構造例を示す説明図である。
第１３図は本発明の実施例２における記録媒体のＳＤ−ＡＵＤＩＯ規格に関するデータ構造例を示す説明図である。
第１４図は本発明の実施例２におけるデータ再生装置の構成図である。
第１５図は本発明の実施例２におけるユーザ識別子を用いたコンテンツデータ再生方法のシーケンス図である。
第１６図は本発明の実施例２におけるデータ記録装置の要部構成図である。
【発明を実施するための最良の形態】  以下、本発明の実施例を図面に基づいて詳細に説明する。
【実施例１】  まず、本発明の実施例による第１の記録媒体について、第１図〜第４図を用いて説明する。第１図は第１の記録媒体１００のデータ構造例を示す説明図である。第１の記録媒体１００はＳＤメモリカードにより構成される。本図及び以下の図において、コンテンツデータリストを含む破線部はオプションであることを示す。
第１の記録媒体１００は、コンテンツデータ格納領域１１０、セレクタ格納領域１２０、検索情報格納領域１３０を有している。コンテンツデータ格納領域１１０はコンテンツ群を含む領域である。ここで、コンテンツ群とは１つ以上のコンテンツデータの集合を意味する。第１図の例ではコンテンツデータ格納領域１１０はコンテンツ群＃１、コンテンツ群＃２、…コンテンツ群＃Ｎのように、Ｎ個のコンテンツ群を含む。Ｎ個の各コンテンツ群は同一の規格や形式に準拠している。本実施例においては、各コンテンツ群はＳＤ−ＡＵＤＩＯ規格に準拠した形式で各コンテンツデータを格納している。
セレクタ格納領域１２０は、コンテンツデータ格納領域１１０に格納されたＮ個のコンテンツ群のうち、特定の１つのコンテンツ群を指定するための情報記録領域としてセレクタ１２１を含む。これに加えて、セレクタ格納領域１２０はコンテンツデータリスト１２２を含んでもよい。コンテンツデータリスト１２２とは、コンテンツデータ格納領域１１０に格納された各コンテンツ群に含まれる各コンテンツデータに関する情報である。
コンテンツデータリスト１２２は以下の各項目の一部又は全部を含んでいてもよい。すなわちコンテンツデータリスト１２２は、総コンテンツ数１２２ａ、コンテンツ群数１２２ｂ、コンテンツ一覧１２２ｃを含んでもよい。
総コンテンツ数１２２ａはコンテンツデータ格納領域１１０の各コンテンツ群に格納されたコンテンツデータの総数を意味する。コンテンツ群数１２２ｂはコンテンツ群の総数Ｎ（１≦ｉ≦Ｎ）を意味する。コンテンツ一覧１２２ｃは各コンテンツ群に含まれるコンテンツデータの一覧を意味する。
検索情報格納領域１３０は、コンテンツデータ格納領域１１０に格納された各コンテンツデータ及びセレクタ格納領域に格納されたセレクタ１２１等を、データ再生装置又はデータ記録装置が取り出す際に必要となる情報を格納する領域である。この情報は記録アドレスやサイズなどを含む。
ＳＤメモリカードのファイルシステム規格を定めた「ＳＤ  Ｍｅｍｏｒｙ  Ｃａｒｄ  Ｓｐｅｃｉｆｉｃａｔｉｏｎｓ  ／  Ｐａｒｔ２  ＦＩＬＥ  ＳＹＳＴＥＭ  ＳＰＥＣＩＦＩＣＡＴＩＯＮ  ／  Ｖｅｒ１．０１」がある。本実施例１では、この規格に準拠したＦＡＴファイルシステムにて記録アドレスなどを管理し、ＦＡＴファイルシステムにおいて必要となる情報を検索情報格納領域１３０に記録する。
ここで、従来の記録媒体と本実施例１における第１の記録媒体とのデータ構造の違いを、具体例に基づいて説明する。第２図は従来の記録媒体のデータ構造を示す説明図である。第２図はＳＤメモリカードの通常領域（Ｕｓｅｒ  Ｄａｔａ  Ａｒｅａ）にＳＤ−ＡＵＤＩＯ規格に準拠したコンテンツ群を格納した場合のデータ構造を示している。第２図において楕円はディレクトリを示し、長方形はファイルを示す。ＳＤ−ＡＵＤＩＯ規格では、“ＲＯＯＴ”ディレクトリの直下に“ＳＤ＿ＡＵＤＩＯ”ディレクトリが作成される。この“ＳＤ＿ＡＵＤＩＯ”ディレクトリ内に“ＳＤ＿ＡＵＤＩＯ．ＰＬＭ”、“ＳＤ＿ＡＵＤＩＯ．ＴＫＭ”という名前の管理ファイルと、“ＡＯＢｘｘｘ．ＳＡ１（ｘｘｘは００１から９９９の数字が入る）”の暗号化コンテンツファイルが格納されている。１つのコンテンツデータは１つ以上の暗号化コンテンツファイルに格納される。従ってＳＤ−ＡＵＤＩＯは最大で９９９個のコンテンツデータ（トラック）を格納できる。
一方、第３図は本実施例１による第１の記録媒体１００におけるデータ構造の説明図である。第３図はＳＤメモリカードの通常領域（Ｕｓｅｒ  Ｄａｔａ  Ａｒｅａ）にＳＤ−ＡＵＤＩＯ規格に準拠したコンテンツ群を複数格納した場合のデータ構造を示している。第３図に示す例では、“ＲＯＯＴ”ディレクトリの直下に“ＳＤ＿ＡＵＤＩＯ”ディレクトリ、“ＳＤ＿ＡＤ００２”ディレクトリ、“ＳＤ＿ＡＤ００３”ディレクトリが夫々作成される。“ＳＤ＿ＡＵＤＩＯ”ディレクトリは後述するように、“ＳＤ＿ＡＤ００１”ディレクトリというディレクトリ名をリネームしたものである。これらのディレクトリの下に作成されるファイル及びディレクトリは、ＳＤ−ＡＵＤＩＯ規格において“ＳＤ−ＡＵＤＩＯ”ディレクトリの下に作成されるファイル及びディレクトリと同じ形式である。従って、この例では従来の記録媒体に比べて３倍のトラック、即ち２９９７個のコンテンツデータ（トラック）を格納することができる。
また、“ＲＯＯＴ”ディレクトリの直下に作成された“ＳＥＬＥＣＴＯＲ．ＢＩＮ”ファイルの内部の構成例を第４図に示す。この“ＳＥＬＥＣＴＯＲ．ＢＩＮ”ファイルは、セレクタ格納領域１２０のデータを格納するものである。このファイルの先頭８バイトがセレクタ１２１であり、それ以降のＭバイトがコンテンツデータリスト１２２である。この例ではセレクタ１２１には“ＳＤ＿ＡＤ００１”という文字列が格納されており、これは、第３図において現在選択されているコンテンツ群が“ＳＤ＿ＡＤ００１”であることを意味する。そのコンテンツ群の実体は“ＳＤ＿ＡＵＤＩＯ”ディレクトリの下に格納されているファイル及びディレクトリである。すなわち、セレクタ１２１によって選択されたコンテンツ群の実体は、常に“ＳＤ＿ＡＵＤＩＯ”ディレクトリという名の下に格納されているファイル及びディレクトリである。セレクタ１２１に格納される８バイトの文字列は、コンテンツ群が選択されているときに付けられている８バイトのディレクトリ名である。この場合の８バイトの文字列は“ＳＤ＿ＡＤ００１”である。
次に、本発明の実施例１による第１のデータ再生装置について、第５図及び第６図を用いて説明する。ここで太い矢印はコンテンツデータの流れを示し、細い矢印はセレクタの流れを示す。第５図は本発明の実施例１によるデータ再生装置２００の要部構成図である。
データ再生装置２００は、スロット２１０と、セレクタ取得部２２０と、セレクタ更新部２３０と、コンテンツデータ取得部２４０と、コンテンツデータ再生部２５０とを備えている。スロット２１０は第１の記録媒体１００を挿入するスロットである。セレクタ取得部２２０はスロット２１０に挿入された第１の記録媒体１００のセレクタ格納領域１２０よりセレクタ１２１を取得するものである。セレクタ更新部２３０はセレクタ取得部２２０により取得されたセレクタ１２１を更新するものである。コンテンツデータ取得部２４０は第１の記録媒体１００のコンテンツデータ格納領域１１０から、各コンテンツ群に含まれるコンテンツデータを読み出すものである。コンテンツデータ再生部２５０は、コンテンツデータ取得部２４０によって取得されたコンテンツデータを再生するためにデータの変換を行うものである。
コンテンツデータ再生部２５０はデクリプタ２５１及びデコーダ２５２を備えていてもよい。デクリプタ２５１はコンテンツデータが暗号化されている場合にこのデータを解読する。デコーダ２５２はコンテンツデータが符号化されている場合に、このデータを復号する。更にコンテンツデータ再生部２５０は、ＤＡ変換部２５３、スピーカ２５４を備えていてもよい。ＤＡ変換部２５３はデジタルデータであるコンテンツデータをアナログ信号に変換する。スピーカ２５４はＤＡ変換部２５３によってアナログ変換されたオーディオ信号を出力する。このスピーカ２５４はヘッドホーン、イヤホンなどの電気音響変換器、又はこれらの電気音響変換器のアナログ出力ポートも含むものとする。
本実施例では、データ再生装置２００のコンテンツデータ再生部２５０はデクリプタ２５１、デコーダ２５２、ＤＡ変換部２５３、スピーカ２５４の全てを備えているものとする。以上のデータ再生装置２００は、従来のデータ再生装置の機能に新たな機能プログラムを実装することで実現できる。
第６図は従来のデータ再生装置３００の構成例を示すブロック図である。このデータ再生装置３００は、スロット３１０と、コンテンツデータ取得部３４０と、コンテンツデータ再生部３５０とを備えている。スロット３１０は従来の記録媒体又は第１の記録媒体１００を挿入するスロットである。コンテンツデータ取得部３４０は、スロット３１０に挿入された第１の記録媒体１００から、コンテンツデータ格納領域１１０に格納されたコンテンツ群に含まれる各コンテンツデータを取得するものである。コンテンツデータ再生部３５０はコンテンツデータ取得部３４０によって取得されたコンテンツデータを再生するものである。
コンテンツデータ再生部３５０はデクリプタ３５１、デコーダ３５２を備えていてもよい。デクリプタ３５１はコンテンツデータが暗号化されている場合にこのデータを解読する。デコーダ３５２はコンテンツデータが符号化されている場合にこのデータを復号する。更にコンテンツデータ再生部３５０はＤＡ変換部３５３、スピーカ３５４を備えていてもよい。ＤＡ変換部３５３は、コンテンツデータをアナログ信号に変換する。スピーカ３５４はＤＡ変換部３５３によってアナログ信号に変換されたオーディオ信号を出力する。
以下の説明では、コンテンツデータ再生部３５０はデクリプタ３５１、デコーダ３５２、ＤＡ変換部３５３、スピーカ３５４の全てを備えているものとする。
本実施例１による第１のデータ再生装置２００と、従来のデータ再生装置３００との構成上の違いは、第１の記録媒体１００に格納されたセレクタの操作を行うために、セレクタ取得部２２０及びセレクタ更新部２３０が備わっているか否かである。
次に、本実施例による第１のデータ再生方法について、第７図を用いて説明する。第７図は第１のデータ再生方法の動作シーケンス例を示す説明図である。第１の記録媒体１００が本実施例による第１のデータ再生装置２００のスロット２１０、もしくは従来のデータ再生装置３００のスロット３１０に挿入された状態で、再生開始の指示が与えられたときに、第７図のシーケンスが開始される。
なお、再生開始の指示は、ユーザによるボタン操作によって与えてもよいし、データ再生装置において第１の記録媒体１００が挿入されたことを検知して再生開始の指示としてもよい。
第１の記録媒体１００の挿入、又はユーザにより再生開始の指示が出力された場合、データ再生装置２００又は３００は第７図のＳ７０１において、セレクタを利用できるか否かを調べる。データ再生装置３００の場合、セレクタ取得部が設けられていないので、セレクタ１２０の情報を読み出せない。この場合はＳ７０１から後述するＳ７０６の処理に分岐する。
Ｓ７０１において、第１の記録媒体１００を挿入したデータ再生装置がセレクタ１２１を処理できると判断した場合、即ち、第１のデータ再生装置２００の場合にはＳ７０２の処理に進む。セレクタ１２１を処理できない場合にはＳ７０６の処理に進む。
Ｓ７０２では第１の記録媒体１００のコンテンツデータ格納領域１１０に格納されたＮ個のコンテンツ群＃ｉ（１≦ｉ≦Ｎ）について、Ｓ７０３以降の処理を順に行う。
第１の記録媒体１００は、第３図に示すとおり３つのコンテンツ群を有しているものとする。すなわちＮ＝３であり、コンテンツ群＃１から３の各々に対するセレクタの値は夫々  “ＳＤ＿ＡＤ００１”、“ＳＤ＿ＡＤ００２”、“ＳＤ＿ＡＤ００３”という８バイトの文字列であるとする。
いまセレクタ１２０の値が“ＳＤ＿ＡＤ００１”となっており、ユーザが新たに他のディレクトリのコンテンツデータを取得したい場合を考える。この場合、セレクタ更新部２３０はセレクタ１２０の値を更新する必要がある。
第８図は、セレクタの値を更新する際の動作を示す状態遷移図である。ここでは現在のセレクタの値“ＳＤ＿ＡＤ００１”を“ＳＤ＿ＡＤ００２”に更新する例を示している。Ｓ７０３において、セレクタ更新部２３０はセレクタ取得部２２０経由で第８図（Ａ）に示すように、現在のセレクタ１２１として“ＳＤ＿ＡＤ００１”を取得する。その後、第８図（Ｂ）に示すように、現在選択中であるコンテンツ群のディレクトリ名を“ＳＤ＿ＡＵＤＩＯ”から現在のセレクタ１２１の値“ＳＤ＿ＡＤ００１”に変更する（矢印１）。
次に、第８図（Ｃ）に示すように、セレクタ更新部２３０はセレクタ１２１の値“ＳＤ＿ＡＤ００１”をコンテンツ群＃ｉに対応する８バイトの文字列、例えば“ＳＤ＿ＡＤ００２”に更新する（矢印２）。そして第８図（Ｄ）に示すように、コンテンツ群＃ｉ（ｉ＝２）のディレクトリ名を“ＳＤ＿ＡＵＤＩＯ”に変更する（矢印３）。
Ｓ７０４では、コンテンツデータ取得部２４０はセレクタ１２１によって選択されたコンテンツ群＃ｉ（ｉ＝２）のコンテンツデータを取得する。具体的には、コンテンツデータ取得部２４０は“ＳＤ＿ＡＵＤＩＯ”ディレクトリ以下のコンテンツデータを取得する。コンテンツデータ取得部２４０によって取得された各コンテンツデータは、コンテンツデータ再生部２５０に渡される。コンテンツデータ再生部２５０の内部において、各コンテンツデータは、デクリプタ２５１にて解読され、デコーダ２５２にてそのデータが復号される。そして、ＤＡ変換部２５３にてデジタル信号がアナログ信号に変換される。こうしてオーディオ信号がスピーカ２５４から再生される。
コンテンツ群＃ｉの再生が終了すると、Ｓ７０５に進み、ｉに１を加算する。その結果がＮ（本実施例では３）以下であれば、Ｓ７０２の処理に戻り、他のコンテンツ群のデータを再生する。Ｎが３であれば再生処理を終了する。
一方、第６図に示すデータ再生装置３００が用いられている場合、第１の記録媒体１００であっても、セレクタ１２０の情報は読み出せない。この場合はＳ７０１からＳ７０６に分岐し、現在の第１の記録媒体１００においてセレクタで選択されているコンテンツ群をコンテンツ群Ｘとして再生対象に設定する。コンテンツ群Ｘは“ＳＤ＿ＡＵＤＩＯ”ディレクトリに格納されている。この場合、データ再生装置３００のコンテンツデータ取得部３４０はコンテンツ群Ｘのコンテンツデータを取得する。コンテンツデータ取得部３４０によって取得されたコンテンツ群Ｘの各コンテンツデータは、コンテンツデータ再生部３５０に渡される。
コンテンツデータ再生部３５０の内部において、各コンテンツデータは、デクリプタ３５１にてそのデータが解読され、デコーダ３５２にてそのデータが復号される。コンテンツデータがＣＤのようにデータが圧縮されず、誤り訂正符号化とインターリーブのみが施されている場合は、デコーダ３５２は復号化のみを行う。コンテンツデータがデータ圧縮と誤り訂正符号化とインターリーブされている場合は、デコーダ３５２はデータの伸長と復号化を行う。以下の実施例でも同様である。
次にＤＡ変換部３５３にてデジタルデータがアナログ信号に変換される。こうしてオーディオ信号がスピーカ３５４から再生される。データ再生装置３００が用いられる場合、コンテンツ群Ｘの再生が完了した時点で再生処理を終了する。
従って、本実施例における第１のデータ再生方法を用いることで、第１の記録媒体に格納された全てのコンテンツ群に含まれる各コンテンツデータが第１のデータ再生装置２００を用いて再生できる。これに加えて従来のデータ再生装置３００でも予めセレクタ１２１によって指定されているコンテンツ群Ｘの各コンテンツデータを再生できる。
さらに、本実施例のデータ再生装置２００では、“ＳＥＬＥＣＴＯＲ．ＢＩＮ”というファイルに格納された８バイトのセレクタ１２１及びディレクトリ名を変更するだけで、全データを再生できる。このため、従来のデータ再生装置に対してその制御プログラムを実装（インストール）することにより、本発明による第１のデータ再生装置２００を容易に実現することができる。
なお、ＳＤメモリカードは通常領域と認証領域（Ｐｒｏｔｅｃｔｅｄ  Ａｒｅａ）の２つの記録領域を有している。ＳＤ−ＡＵＤＩＯ規格に準拠したコンテンツデータは暗号化されて通常領域に格納され、暗号化に用いた鍵データは認証領域に格納されている。従って、ＳＤ−ＡＵＤＩＯ規格に準拠したコンテンツデータの再生を行う場合には、認証領域に格納された鍵データも処理する必要がある。しかし、この処理は上述のコンテンツデータに対する処理と全く同一の方法で実現できるので、説明を割愛する。
次に第１の記録媒体１００にコンテンツデータを記録する第１のデータ記録装置について説明する。第９図は第１のデータ記録装置６００の要部構成図である。第１のデータ記録装置６００は、スロット６１０と、コンテンツデータ変換部６２０と、セレクタ更新部６３０と、コンテンツデータ記録部６４０とを備えている。スロット６１０は第１の記録媒体１００を挿入するスロットである。コンテンツデータ変換部６２０は、ＣＤや楽曲ファイルなどの外部音源６５０からコンテンツデータを取り出し、ＳＤ−ＡＵＤＩＯ規格に準拠したデータに変換する。セレクタ更新部６３０は、スロット６１０に挿入された第１の記録媒体１００のセレクタ格納領域１２０におけるセレクタ情報を、コンテンツデータの記録時に更新する。コンテンツデータ記録部６４０は、コンテンツデータ変換部６２０から与えられたコンテンツデータを第１の記録媒体１００に記録する。
コンテンツデータ変換部６２０は、ＡＤ変換部６２１と、エンコーダ６２２と、エンクリプタ６２３とを有している。ＡＤ変換部６２０は第１のデータ記録装置６００に入力されるコンテンツの信号形式がアナログのオーディオ信号の場合、デジタルデータに変換する。エンコーダ６２２はＰＣＭのコンテンツデータやＡＤ変換部６２１から与えられたデータを圧縮符号化する。エンクリプタ６２３は、エンコードされたデータをＳＤ−ＡＵＤＩＯ規格に準拠した方法で暗号化する。
このような構成の第１のデータ記録装置６００における記録動作について説明する。第３図に示すルートディレクトリにおいて、先ず記録対象のディレクトリを決定する。決定方法は自由であり、ディレクトリ名の順序で選択しても良いし、新しいディレクトリを作成してもよい。ここでは“ＳＤ＿ＡＤ００３”を選択する場合を説明する。
まずセレクタ更新部６３０を用いて記録対象のディレクトリを第１図のセレクタ格納領域１２０から選択する。このため現在“ＳＤ＿ＡＵＤＩＯ”となっているディレクトリを、セレクタ１２１に格納している名前に戻す。次に“ＳＤ＿ＡＤ００３”をセレクタ１２１に格納する。こうしてＳＤ＿ＡＤ００３のディレクトリをＳＤ＿ＡＵＤＩＯのディレクトリに名称変更する。
そして外部音源６５０からコンテンツデータを入力し、コンテンツデータ変換部６２０に与える。エンコーダ６２２によりデータが圧縮符号化され、エンクリプタ６２３によりそのデータが暗号化される。このデータは、コンテンツデータ記録部６４０により、セレクタ１２０で選択されたディレクトリ、ここでは“ＳＤ＿ＡＵＤＩＯ”のディレクトリに記録されていく。記録中に当該ディレクトリが満杯になった場合は、新たな記録対象のディレクトリを決定して、同様の動作を続ける。
ここで記録すべきコンテンツデータが１つのコンテンツ群に収まらない場合の処理方法（その１）について説明する。ＳＤ＿ＡＵＤＩＯ規格では、９９９の暗号化コンテンツファイルを格納できる。なお１つの楽曲、即ちコンテンツデータが１つの暗号化コンテンツファイルに収まるとは限らない。例えばパーナルコンピュータ（ＰＣ）から楽曲データを記録媒体にチェックアウトする場合、１つの楽曲を記録する毎に“ＳＤ＿ＡＵＤＩＯ”のディレクトリにおいて、残りの暗号化コンテンツファイルの数が足りるか否かをチェックして、足りない場合は新たなディレクトリを探す。楽曲を記録する前に暗号化コンテンツファイルの数が足りるか否かが判らないことがある。例えばＰＣ以外の外部機器から記録する場合がこれに該当する。この場合は、９９９ファイルまで楽曲を記録し、新たなディレクトリを更に探してもよい。
次にコンテンツデータが１つのコンテンツ群に収まらない場合の処理方法（その２）について説明する。この場合、第１図に示すセレクタ格納領域１２０のコンテンツデータリスト１２２に、コンテンツリンクリスト情報を格納する領域を新設する。この例を第１０図に示す。このコンテンツデータリスト１２２Ａは、第１図に示すコンテンツデータリスト１２２の情報に加えて、コンテンツ群のリンクリスト１２２ｄの情報記録領域を設ける。コンテンツ群＃Ｘにコンテンツデータが収まらない場合、リンク元のコンテンツ群＃Ｘに対してリンク先のコンテンツ群＃Ｙを記録する。第１０図ではリンク元のコンテンツ群＃１の“ＡＯＢ９９９．ＳＡ１”が、リンク先であるコンテンツ群＃２の“ＡＯＢ００１．ＳＡ１”にリンクしている例を示している。このように異なるコンテンツ群を跨いで１つのコンテンツデータが記録されることをリンクリストに記録する。このようにコンテンツ群＃１にまとまったコンテンツデータが記録できない場合、その続きがコンテンツ群＃２に記録されていく。再生の場合もリンクリストを参照することで、ファイル数の多いコンテンツデータを再生することができる。
なお、本発明は上記の実施例に限定されるものではなく、本発明の要旨を逸脱しない範囲で実施変更することができる。以下のような場合も本発明の技術概念に含まれる。
（１−１）本実施例１では、第１の記録媒体１００に格納されるコンテンツ群の個数Ｎを３としたが、Ｎは１つ以上の整数であれば個数を限定しない。
（１−２）本実施例では、ＳＤ−ＡＵＤＩＯ規格に準拠したコンテンツ群に関して記述したが、これに限定されるものではない。ある一定の形式に従って管理されているコンテンツ群を格納した記録媒体であれば、本発明は有効である。さらに、記録媒体はＳＤメモリカードに限定されるものではなく、他の半導体メモリや光ディスク、磁気ディスクであってもよく、またこれらの組合せであってもよい。例えば、ＳＤメモリカードとハードディスクを組合せた擬似的な超大容量のＳＤメモリカードであってもよい。
（１−３）本実施例では、検索情報格納領域１３０においてＦＡＴファイルシステムを用いたが、ＵＤＦなどの他のファイルシステムを利用してもよい。また、ファイルシステムを使わずに記録アドレスを管理してもよい。
（１−４）本実施例では、第１のデータ再生装置２００にて第１の記録媒体１００に含まれる全てのコンテンツ群を再生する方法を記述した。しかし、必ずしも全コンテンツを再生させる必要はない。
また、第１のデータ再生装置２００がユーザ毎に付与されたユーザ識別子を利用できる場合、第１１図に示すようにユーザに対応づけたコンテンツのみを再生させることもできる。ここでユーザ識別子とは、個々のユーザを特定する８バイトの文字列である。ユーザ識別子はコンテンツ群に一対一で対応づけられ、且つセレクタとして用いられる。ユーザは任意のタイミング、例えば使用開始時に第１のデータ再生装置２００にユーザ識別子を指定する。ここでデータ再生装置２００はユーザから指定されたユーザ識別子を内部に格納する。
ここで、ユーザ識別子を利用できる場合における第１のデータ再生装置２００の動作について、第１１図を用いて説明する。ユーザ識別子は記録媒体のセレクタ格納領域１２０に記録されるものとする。Ｓ８０１では、第１の記録媒体１００を挿入したデータ再生装置がセレクタ１２１を処理可能か否かを判断する。処理可能である場合にはＳ８０２の処理に進む。セレクタ１２１の処理が可能でない場合には、Ｓ８０６の処理に進む。具体的には、第１の記録媒体１００が挿入されたデータ再生装置が第１のデータ再生装置２００である場合にはＳ８０２の処理に進み、従来のデータ再生装置３００である場合にはＳ８０６の処理に進む。
Ｓ８０２では、第１のデータ再生装置２００はユーザ識別子が有効か否か、即ちユーザ識別子を利用できるか否かを調べる。ユーザ識別子の情報がセレクタ１２１の値として有効であると判断した場合には、Ｓ８０３の処理に進む。ここで有効とは、対応するコンテンツ群が第１の記録媒体１００に存在することを意味する。有効でなければ処理を終了させる。
Ｓ８０３では、セレクタ更新部２３０がセレクタ取得部２２０経由で現在のセレクタ１２１を取得し、その内容を内部に退避させる。その後、現在選択中であるコンテンツ群のディレクトリ名を“ＳＤ＿ＡＵＤＩＯ”から現在のセレクタ１２１の値に変更する。
次に、セレクタ更新部２３０はセレクタ１２１の値をＳ８０２で取得したユーザ識別子の値に更新し、そのユーザ識別子に対応するコンテンツ群＃ｉのディレクトリ名を“ＳＤ＿ＡＵＤＩＯ”に変更する。
Ｓ８０４では、コンテンツデータ取得部２４０はセレクタ１２１に対応するコンテンツ群＃ｉ（１≦ｉ≦Ｎ）の各コンテンツデータを取得する。具体的には、“ＳＤ＿ＡＵＤＩＯ”ディレクトリ以下のコンテンツデータを取得する。コンテンツデータ取得部２４０によって取得されたコンテンツデータはコンテンツデータ再生部２５０に渡される。コンテンツデータ再生部２５０の内部において、各コンテンツデータは、デクリプタ２５１にてそのデータが解読され、デコーダ２５２にて復号される。そして、ＤＡ変換部２５３にてデジタルデータがアナログ信号に変換される。こうしてオーディオ信号がスピーカ２５４から再生される。
Ｓ８０５において、再生が終了した時点で、現在選択中であるコンテンツ群＃ｉのディレクトリ名を“ＳＤ＿ＡＵＤＩＯ”から現在のユーザ識別子、即ちセレクタ１２１に格納された値に変更する。
次に、セレクタ更新部２３０はセレクタ１２１の値をＳ８０３で退避させていた値に更新し、そのセレクタ１２１に対応するコンテンツ群のディレクトリ名を“ＳＤ＿ＡＵＤＩＯ”に変更する。
Ｓ８０１からＳ８０６に進んだ場合、現在のセレクタで選択されているコンテンツ群をコンテンツ群Ｘとする。コンテンツ群Ｘは“ＳＤ＿ＡＵＤＩＯ”ディレクトリに格納されている。コンテンツデータ取得部２４０はコンテンツ群Ｘのコンテンツデータを取得する。コンテンツデータ取得部２４０によって取得されたコンテンツデータはコンテンツデータ再生部２５０に渡される。コンテンツデータ再生部２５０の内部において、各コンテンツデータは、デクリプタ２５１にてデータが解読され、デコーダ３５２にて復号される。次いでＤＡ変換部３５３にてデジタルデータがアナログ信号に変換される。こうしてオーディオ信号がスピーカ３５４にて再生される。コンテンツ群Ｘの再生が完了した時点で再生処理を終了する。
従って、第１のデータ再生装置２００を用いた場合は、ユーザ識別子に応じたコンテンツ群を再生させることができ、従来のデータ再生装置３００を用いた場合はセレクタ１２１で予め指定されている（デフォルトの）コンテンツ群Ｘを再生させることができる。同一の第１の記録媒体１００を複数のユーザで使用する場合に、ユーザに応じてコンテンツ群の切り替えを容易に行うことができる。
（１−５）本実施例では、コンテンツデータリスト１２２を使用しない例について記述したが、コンテンツデータリスト１２２を用いることで、以下のことが可能となる。
第１の記録媒体１００に格納された各コンテンツ群は、従来の規格等に準拠した形式で格納されているため、コンテンツ群毎にそのコンテンツ群に含まれる各コンテンツデータの管理情報を有している可能性がある。しかし、複数のコンテンツ群を統括する管理情報がないため、複数のコンテンツ群のコンテンツを含むプレイリストを作成するためには、各コンテンツ群に含まれているコンテンツデータ又は管理ファイルを解析する必要があり、複雑な処理となる。ここでプレイリストとはコンテンツデータの再生順序の情報である。
そこで、予め各コンテンツ群に格納されているコンテンツデータの一覧をコンテンツデータリスト１２２としてまとめておくことで、第１のデータ再生装置２００は複数のコンテンツ群のコンテンツデータを簡単に取扱うことができる。従って、セレクタ格納領域１２０は、各コンテンツ群に格納されたコンテンツデータに関する情報をまとめたコンテンツデータリスト１２２を格納していてもよい。
【実施例２】  次に、本発明の実施例２による第２の記録媒体について、第１２図及び第１３図を用いて説明する。本実施例の記録媒体には、実施例１のようなセレクタ格納領域が設けられていないことが特徴である。この場合のデータ再生方法及びデータ記録方法について説明する。
第１２図はＳＤメモリカードである第２の記録媒体４００のデータ構造例を示す説明図である。第２の記録媒体４００はコンテンツデータ格納領域４１０と検索情報格納領域４３０とを有している。
コンテンツデータ格納領域４１０は少なくとも１つのコンテンツ群を含んでいる。ここで、コンテンツ群とは１つ以上のコンテンツデータの集合を意味する。第１２図の例ではコンテンツデータ格納領域４１０は、コンテンツ群＃１、コンテンツ群＃２、…コンテンツ群＃ＮのようにＮ個のコンテンツ群を含んでいる。Ｎ個の各コンテンツ群は同一の規格や形式に準拠している。本実施例においては、各コンテンツ群はＳＤ−ＡＵＤＩＯ規格に準拠した形式で、各コンテンツデータが格納されているものとする。
検索情報格納領域４３０は、コンテンツデータ格納領域４１０に格納された各コンテンツデータを、データ再生装置又はデータ記録装置が取り出す際に必要となる情報を格納する領域である。この情報は記録アドレスやサイズである。
本実施例２では、ＳＤメモリカードのファイルシステム規格を定めた「ＳＤ  Ｍｅｍｏｒｙ  Ｃａｒｄ  Ｓｐｅｃｉｆｉｃａｔｉｏｎｓ  ／  Ｐａｒｔ２  ＦＩＬＥ  ＳＹＳＴＥＭ  ＳＰＥＣＩＦＩＣＡＴＩＯＮ  ／  Ｖｅｒ１．０１」に準拠したＦＡＴファイルシステムにて記録アドレスなどを管理している。またＦＡＴファイルシステムにおいて必要となる情報は、検索情報格納領域４３０に記録される。
第１３図は本実施例２による第２の記録媒体４００におけるデータ構造の説明図である。特に第１３図はＳＤメモリカードの通常領域（Ｕｓｅｒ  Ｄａｔａ  Ａｒｅａ）にＳＤ−ＡＵＤＩＯ規格に準拠したコンテンツ群を複数格納した場合のデータ構造を示している。第１３図において、“ＲＯＯＴ”ディレクトリの直下に“ＳＤ＿ＡＤ００１”ディレクトリ、“ＳＤ＿ＡＤ００２”ディレクトリ、“ＳＤ＿ＡＤ００３”ディレクトリが作成される。これらのディレクトリの下に作成されるファイル及びディレクトリは、ＳＤ−ＡＵＤＩＯ規格において“ＳＤ−ＡＵＤＩＯ”ディレクトリの下に作成されるファイル及びディレクトリと同じ形式である。従って、この例では従来の記録媒体に比べて３倍の２９９７個のトラックを格納することができる。
次に、本実施例２による第２のデータ再生装置について、第１４図を用いて説明する。第１４図は第２のデータ再生装置５００の構成図である。第２のデータ再生装置５００は、スロット５１０と、コンテンツ群選択部５６０と、コンテンツデータ取得部５４０と、コンテンツデータ再生部５５０とを備えている。スロット５１０は第２の記録媒体４００を挿入するスロットである。コンテンツ選択部５６０は、スロット５１０に挿入された第２の記録媒体４００のコンテンツ格納領域４１０に格納された各コンテンツ群のうち１つを選択する。コンテンツデータ取得部５４０は第２の記録媒体４００のコンテンツデータ格納領域４１０から、各コンテンツ群に含まれる各コンテンツデータを読み出す。コンテンツデータ再生部５５０は、コンテンツデータ取得部５４０によって取得されたコンテンツデータを再生する。
コンテンツデータ再生部５５０は、デクリプタ５５１、デコーダ５５２を備えていてもよい。デクリプタ５５１はコンテンツデータが暗号化されている場合にデータを解読する。デコーダ５５２はコンテンツデータが符号化されている場合にデータを復号する。コンテンツデータ再生部５５０は、ＤＡ変換部５５３、スピーカ５５４を備えていてもよい。ＤＡ変換部５５３は、デジタルデータであるコンテンツデータをアナログ信号に変換する。スピーカ５５４は、ＤＡ変換部５５３によってアナログ変換されたオーディオ信号を再生する。
本実施例による第２のデータ再生装置５００と従来のデータ再生装置３００との構成上の違いは、第２の記録媒体４００に格納された各コンテンツ群のうち１つを選択するコンテンツ群選択部５６０が存在するか否かである。
次に、本実施例による第２のデータ再生方法について、第１５図を用いて説明する。第１５図は本実施例による第２のデータ再生方法の動作シーケンスを示す説明図である。第２の記録媒体４００が第２のデータ再生装置５００のスロット５１０に挿入された状態で、再生開始の指示が与えられたときに、第１５図の処理が開始される。なお、再生開始の指示はユーザによるボタン操作によって与えてもよいし、第２のデータ再生装置において第２の記録媒体４００が挿入されたことを検知して第２のデータ再生装置内で与えてもよい。
以下、各ステップの詳細を説明する。Ｓ１２０１では第２の記録媒体４００のコンテンツデータ格納領域４１０に格納されたＮ個のコンテンツ群＃ｉ（１≦ｉ≦Ｎ）について、ｉがＮになるまで処理が繰り返し実行される。
本実施例においては、第２の記録媒体４００は第１３図に示すように３つのコンテンツ群を有している。コンテンツ群＃１から３の各々に対するコンテンツ群は、夫々  “ＳＤ＿ＡＤ００１”、“ＳＤ＿ＡＤ００２”、“ＳＤ＿ＡＤ００３”のディレクトリに格納されている。
Ｓ１２０２では、コンテンツ群選択部５６０はコンテンツ群＃ｉを選択し、選択結果をコンテンツデータ取得部５４０に通知する。
ここでコンテンツ群＃ｉの認識方法について説明する。先ずコンテンツ群選択部５６０はルートディレクリ直下のディレクリを検索する。この検索で“ＳＤ＿ＡＵＤＩＯ．ＰＬＭ”、“ＳＤ＿ＡＵＤＩＯ．ＴＫＭ”という名前の管理ファイルが存在することが判明すれば、このディレクトリを再生すべきコンテンツ群として認識する。この方法は一例であり、更に検索精度を高めるには“ＳＤ＿ＡＵＤＩＯ．ＰＬＭ”、“ＳＤ＿ＡＵＤＩＯ．ＴＫＭ”の管理ファイルの中身を読み、ＳＤ＿ＡＵＤＩＯ規格に準拠しているか否かを確認すると良い。これによりＳＤ＿ＡＵＤＩＯフォルダのみを有する従来の記録媒体も本実施例のデータ再生装置５００で再生可能となる。
Ｓ１２０３では、コンテンツデータ取得部５４０はコンテンツ群選択部５６０が選択したコンテンツ群＃ｉの各コンテンツデータを取得し、コンテンツデータ再生部５５０に渡す。コンテンツデータ再生部５５０の内部において、各コンテンツデータは、デクリプタ５５１にてデータが解読され、デコーダ５５２にてデータが復号される。次いでＤＡ変換部５５３にてデジタルデータがアナログ信号に変換される。こうしてオーディオ信号がスピーカ５５４から再生される。
コンテンツ群＃ｉの再生が完了すると、Ｓ１２０４ではｉに１を加算する。その結果がＮ（本実施例では３）以下であればＳ１２０１に戻り、そうでなければ再生処理を終了する。
従って、本実施例による第２のデータ再生方法を用いることで、第２の記録媒体に格納された全てのコンテンツ群に含まれる各コンテンツデータが第２のデータ再生装置５００で再生できる。
さらに、本実施例では、コンテンツ群選択部５６０が順番に各コンテンツ群を指定するだけでよいため、簡易な制御プログラムを実装するだけで第２のデータ再生装置５００を実現できる。
なお、ＳＤメモリカードは通常領域と認証領域（Ｐｒｏｔｅｃｔｅｄ  Ａｒｅａ）の２つの記録領域を有している。ＳＤ−ＡＵＤＩＯ規格に準拠したコンテンツデータは暗号化されて通常領域に格納され、暗号化に用いた鍵データは認証領域に格納されている。
従って、ＳＤ−ＡＵＤＩＯ規格に準拠したコンテンツデータの再生を行う場合には、認証領域に格納された鍵データも処理する必要があるが、この処理は上述のコンテンツデータに対する処理と全く同一の方法で実現できるので、説明を割愛する。
なお第２の記録媒体４００を従来のデータ再生装置３００にも利用できる場合がある。第２の記録媒体４００がデータ再生装置３００に挿入された場合、ルートディレクリ直下のＳＤ−ＡＵＤＩＯディレクトリのみが再生可能となる。ルートディレクリ直下のＳＤ−ＡＵＤＩＯディレクトリが存在しなければ、再生は不可能となる。
次に第１の記録媒体又は第２の記録媒体にコンテンツデータを記録することが可能な第２のデータ記録装置について説明する。第１６図は第２のデータ記録装置７００の要部構成図である。第２のデータ記録装置７００は、スロット７１０と、コンテンツデータ変換部７２０と、コンテンツ群選択部７３０と、コンテンツデータ記録部７４０とを備えている。スロット７１０は第１の記録媒体１００又は第２の記録媒体４００を挿入するスロットである。コンテンツデータ変換部７２０は、ＣＤや楽曲ファイルなどの外部音源７５０からコンテンツデータを取り出し、ＳＤ−ＡＵＤＩＯ規格に準拠したデータに変換する。コンテンツ群選択部７３０は、第１の記録媒体１００のコンテンツデータ格納領域１１０又は第２の記録媒体４００のコンテンツデータ格納領域４１０におけるコンテンツ群のディレクトリを直接選択する。コンテンツデータ記録部７４０は、コンテンツデータ変換部７２０から与えられたコンテンツデータを第１の記録媒体１００又は第２の記録媒体４００に記録する。
コンテンツデータ変換部７２０は、第１のデータ記録装置６００のコンテンツデータ変換部６２０と同様に、ＡＤ変換部７２１、エンコーダ７２２、エンクリプタ７２３を有している。またコンテンツ群選択部７３０の機能は、第２のデータ再生装置５００におけるコンテンツ群選択部５６０と同一である。
このような構成の第２のデータ記録装置７００における記録動作について説明する。第２のデータ記録装置７００はスロット７１０に挿入された記録媒体のフォーマットの内容を識別するため、ルートディレクトリを調べ、第３図のようにＳＥＬＥＣＴＯＲ．ＢＩＮファイルの有無を確認する。ＳＥＬＥＣＴＯＲ．ＢＩＮファイルがあれば、第１図に示すようなセレクタ格納領域１２０のセレクタがあると認識し、第１の記録媒体１００がスロット７１０に挿入されていると判定する。この場合のコンテンツデータの記録を行うには、“ＳＤ＿ＡＵＤＩＯ”のディレクトリを選択せずに、コンテンツ群選択部７３０がコンテンツデータ格納領域１１０をアクセスし、所望のコンテンツ群のディレクトリを開く。そして当該ディレクトリにコンテンツデータを記録する。
挿入された記録媒体のルートディレクトリにＳＥＬＥＣＴＯＲ．ＢＩＮファイルがなければ、記録媒体が第２の記録媒体４００であることを認識する。この場合も前記の場合と同様に、コンテンツ群選択部７３０がコンテンツデータ格納領域１１０をアクセスし、所望のコンテンツ群のディレクトリを開く。そして当該ディレクトリにコンテンツデータを記録する。従って第１のデータ記録装置６００がデータの記録を行うとき、所望のコンテンツ群のディレクトリを“ＳＤ＿ＡＵＤＩＯ”のディレクトリに変換してから記録を行うのに対し、第２のデータ記録装置７００は直接コンテンツ群選択部７３０が所望のコンテンツ群のディレクトリを選択して記録を行う。
ここで現行のファイルシステムでフォーマットされた記録媒体、例えばＳＤカードと、本発明で用いられる第１の記録媒体１００及び第２の記録媒体４００との互換性について説明する。従来のデータ再生装置と本発明のデータ再生装置との間で、記録媒体の互換性を保つためには、ファイルシステム層や物理層が一致している必要がある。ＳＤ＿ＡＵＤＩＯ規格は、ＳＤ＿Ｆｉｌｅ  Ｓｙｓｔｅｍ規格、ＳＤ＿Ｐｈｙｓｉｃａｌ規格の上に成り立っている。
ここで実施例２における記録媒体とデータ再生装置を、実施例１における記録媒体とデータ再生装置とを比較する。実施例２のメリットは、記録媒体上にセレクタが存在しないので、データ再生装置ではセレクタデータを書き込む必要がないことである。この場合は、データ再生装置の開発が容易になる。実施例２のデメリットは、記録媒体上にセレクタが存在しないので、最初にどのコンテンツ群が再生されるかは、再生装置毎に異なる可能性がある。なお、第２の記録媒体において、１つのコンテンツ群を“ＳＤ＿ＡＵＤＩＯ”ディレクトリという名前にしておき、これを優先的に再生するようにしてもよい。この場合、“ＳＤ＿ＡＵＤＩＯ”という名前のコンテンツ群を入れ替えるときには、新たなルールを設ける必要がある。セレクタが存在しないと、ディレクトリの旧名がないため、単純には選択解除できなくなる恐れがある。
なお、上記の実施例に基づいて本発明を説明してきたが、本発明は上記の実施例に限定されない。本発明の要旨を逸脱しない範囲で実施変更することができる。以下のような場合も本発明に含まれる。
（２−１）本実施例では第２の記録媒体４００に格納されるコンテンツ群の個数Ｎを３としたが、Ｎは１つ以上の整数であればいくつでもよい。
（２−２）本実施例ではＳＤ−ＡＵＤＩＯ規格に準拠したコンテンツ群に関して記述したが、これに限定されるものではない。ある一定の形式に従って管理されているコンテンツ群を格納した記録媒体であれば、本発明が有効である。さらに、記録媒体はＳＤメモリカードに限定されるものではなく、他の半導体メモリや光ディスク、磁気ディスクであってもよいし、また、これらの組合せであってもよい。例えば、ＳＤメモリカードとハードディスクを組合せた擬似的な超大容量ＳＤメモリカードであってもよい。
（２−３）本実施例では、検索情報格納領域４３０においてＦＡＴファイルシステムを用いることにしたが、ＵＤＦなどの他のファイルシステムを利用してもよいし、ファイルシステムを使わずに記録アドレスを管理してもよい。
（２−４）本実施例では、第２のデータ再生装置５００にて第２の記録媒体４００に含まれる全てのコンテンツ群を再生する方法を記述したが、必ずしも全コンテンツを再生させる必要はない。
また、第２のデータ再生装置５００がユーザ毎に付与されたユーザ識別子を利用できる場合、コンテンツ群選択部５６０はユーザ識別子と一致するコンテンツ群を選択し、再生させる機能を備えていても良い。なお、本実施例においては、ユーザ識別子をコンテンツ群の番号＃ｉに併記する。本発明による第２のデータ再生装置５００はユーザ識別子に応じたコンテンツ群を再生させることができ、同一の第２の記録媒体４００を複数のユーザで使用する場合に、ユーザに応じてコンテンツ群の切り替えを容易に行うことができる。
（２−５）本実施例では、第２の記録媒体４００に従来のデータ再生装置でも再生可能なコンテンツ群を格納していない例を示したが、実施例１と同様に“ＳＤ＿ＡＵＤＩＯ”という名のディレクトリを格納していてもよい。この場合には第２の記録媒体４００を従来のデータ再生装置で再生することができる。
（２−６）本実施例では、第２の記録媒体４００と第２のデータ再生装置５００を用いて第２のデータ再生方法を説明したが、第２のデータ再生方法は第１の記録媒体１００と第２のデータ再生装置５００の組合せた場合でも有効である。
産業上の利用の可能性
本発明によれば、大容量化された記録媒体に対し、従来の規格で取り扱える数以上のコンテンツデータを格納することができる。本発明の記録媒体は、新しいデータ再生装置ではもちろんのこと、従来のデータ再生装置でもコンテンツデータを読み出すことができる。さらに、本発明のデータ再生装置を用いることによりに、従来のデータ再生装置を所有するユーザの不利益を解消することができ、かつ従来規格のスムーズな拡張が実現できる。このような技術は、多数の楽曲を記録又は再生する携帯用記録再生装置（ソリッドプレイヤー）に好適に利用できる。
【図１】
2004111855.tif 000003
【図２】
2004111855.tif 000004
【図３】
2004111855.tif 000005
【図４】
2004111855.tif 000006
【図５】
2004111855.tif 000007
【図６】
2004111855.tif 000008
【図７】
2004111855.tif 000009
【図８】
2004111855.tif 000010
【図９】
2004111855.tif 000011
【図１０】
2004111855.tif 000012
【図１１】
2004111855.tif 000013
【図１２】
2004111855.tif 000014
【図１３】
2004111855.tif 000015
【図１４】
2004111855.tif 000016
【図１５】
2004111855.tif 000017
【図１６】
2004111855.tif 000018
【手続補正書】
【提出日】平成16年9月10日(2004.9.10)
【手続補正００１】
【補正対象書類名】特許請求の範囲
【補正対象項目名】特許請求の範囲
【補正方法】変更
【補正の内容】
【特許請求の範囲】
【請求項１】
同一形式に準拠したコンテンツ群を少なくとも１つ格納するコンテンツデータ格納領域と、
前記コンテンツ群の１つを指定するためのセレクタ情報を格納するセレクタ格納領域と、
前記コンテンツ群及び前記セレクタ情報をデータ再生装置が取り出す際に必要となる記録アドレスを含む情報を格納する検索情報格納領域と、を有することを特徴とする記録媒体。
【請求項２】
前記セレクタ格納領域は、
前記コンテンツデータ格納領域に格納されている各コンテンツ群に含まれる各コンテンツデータのリストであるコンテンツデータリストを更に格納することを特徴とする請求項１記載の記録媒体。
【請求項３】
前記コンテンツデータ格納領域に格納された各コンテンツ群は、それぞれが個々のユーザを特定するユーザ識別子に１対１で対応付けされており、
前記セレクタ格納領域は、前記ユーザ識別子をセレクタ情報として格納していることを特徴とする請求項１記載の記録媒体。
【請求項４】
前記コンテンツデータ格納領域に格納された各コンテンツ群は、ＳＤ−ＡＵＤＩＯ規格に準拠した形式で格納されていることを特徴とする請求項１記載の記録媒体。
【請求項５】
（削除）
【請求項６】
（削除）
【請求項７】
（削除）
【請求項８】
記録媒体を挿入するスロットと、
前記スロットに挿入された前記記録媒体のセレクタ格納領域よりセレクタを取得するセレクタ取得部と、
前記セレクタ取得部より取得されたセレクタを、再生するコンテンツ群に合わせて更新するセレクタ更新部と、
前記記録媒体のコンテンツデータ格納領域から各コンテンツ群に含まれるコンテンツデータを取得するコンテンツデータ取得部と、
前記コンテンツデータ取得部によって取得されたコンテンツデータを再生するコンテンツデータ再生部と、を備え、
前記記録媒体は、
同一形式に準拠したコンテンツ群を少なくとも１つ格納するコンテンツデータ格納領域と、前記コンテンツ群の１つを指定するセレクタ情報を格納するセレクタ格納領域と、前記コンテンツ群及び前記セレクタ情報をデータ再生装置が取り出す際に必要となる記録アドレスを含む情報を格納している検索情報格納領域と、を有することを特徴とするデータ再生装置。
【請求項９】
（削除）
【請求項１０】
記録媒体のコンテンツデータ格納領域に格納されたデータを再生するデータ再生方法であって、
前記記録媒体が、同一形式に準拠したコンテンツ群を少なくとも１つ格納するコンテンツデータ格納領域と、前記コンテンツ群の１つを指定するためのセレクタ情報を格納するセレクタ格納領域と、前記コンテンツ群及び前記セレクタ情報をデータ再生装置が取り出す際に必要となる記録アドレスを含む情報を格納する検索情報格納領域と、を有する場合、
前記コンテンツ群を示す情報をセレクタとして前記セレクタ格納領域に書込み、
前記セレクタで選択されている各コンテンツ群のコンテンツデータを前記コンテンツデータ格納領域から取り出し、再生することを特徴とするデータ再生方法。
【請求項１１】
前記記録媒体の前記コンテンツデータ格納領域に格納された各コンテンツ群が、それぞれがユーザを特定するユーザ識別子に１対１で対応付けされており、前記セレクタ格納領域には前記ユーザ識別子をセレクタ情報として格納されている場合、
ユーザからユーザ識別子が与えられると、前記記録媒体のセレクタ情報を退避させた後に、与えられたユーザ識別子を新たなセレクタ情報として更新し、
与えられたユーザ識別子に対応するコンテンツ群のコンテンツデータのみを再生し、
再生後には退避していた前記セレクタ情報の書き戻しを行うことを特徴とする請求項１０記載のデータ再生方法。
【請求項１２】
（削除）
【請求項１３】
（削除）
【請求項１４】
記録媒体を挿入するスロットと、
前記スロットに挿入された前記記録媒体のセレクタ格納領域よりセレクタを取得すると共に、記録するコンテンツ群に合わせて前記セレクタを更新するセレクタ更新部と、
コンテンツデータを入力し、前記記録媒体の規格に合致するファイルを含むコンテンツ群に変換するコンテンツデータ変換部と、
前記記録媒体のコンテンツデータ格納領域に対して当該コンテンツ群のデータを記録するコンテンツデータ記録部と、を備え、
前記記録媒体は、
同一形式に準拠したコンテンツ群を少なくとも１つ格納するコンテンツデータ格納領域と、前記コンテンツ群の１つを指定するセレクタ情報を格納するセレクタ格納領域と、前記コンテンツ群及び前記セレクタ情報をデータ再生装置が取り出す際に必要となる記録アドレスを含む情報を格納している検索情報格納領域と、を有することを特徴とするデータ記録装置。
【請求項１５】
（削除）
【国際調査報告】
2004111855.tif 000019
2004111855.tif 000020